(57)【特許請求の範囲】
【請求項１】
躯体と、躯体の室外側に設けて躯体との間に第１通路を形成する断熱パネルと、断熱パネルの室外側に設けて断熱パネルとの間に第２通路を形成すると共に太陽光を受ける集熱パネルと、集熱パネルの室外側に設けて集熱パネルとの間に第３通路を形成する透光パネルと、通路切換部材とを備え、躯体には室内に開口した通気口が形成してあり、通気口は開閉部材により開閉自在であり、第１通路は躯体の通気口に連通しており、第１通路、第２通路及び第３通路の各通路は、上部が互いに連通しており、下部は外気に連通してあり、通路切換部材は、第１通路に設けてあり、通気口と第１通路とが連通する位置と、通気口と第２及び第３通路が連通する位置に切り換え自在としてあることを特徴とする外装パネル体。
【発明の詳細な説明】
【技術分野】
【０００１】
本発明は、建物の躯体に設けて、冬場には太陽熱を利用して暖めた外気を室内に取込む外装パネル体に関する。
【背景技術】
【０００２】
非特許文献１には、外壁（躯体）の外面に集熱パネルを取付けて躯体と集熱パネルとの間に通路を形成し、外壁には通気口を形成して、この通気口を躯体と集熱パネルとの間の通路に連通し、通路の下から取込んだ外気を集熱パネルの熱で暖め、室内に太陽熱で暖めた外気を取込むことが開示されている。
【先行技術文献】
【特許文献】
【０００３】
【非特許文献１】第４頁〜第６頁、太陽熱集熱外壁パネル「ソーラスパンドレルII  業務用」カタログ  第１版  ２０１０年８月  新日軽株式会社発行  コードＮｏ．ＷＥＪＣ０３８  ５Ｒ・Ｕ
【発明の概要】
【発明が解決しようとする課題】
【０００４】
しかし、非特許文献１の技術では、冬場に太陽熱で暖めた外気を取込めるが、夏場には通気口を利用することができず、外壁に設けた通気口が無駄になるという問題があった。
【０００５】
そこで、本発明は、冬場には集熱パネルで暖めた外気を通気口から室内に取込み、夏場には通気口を室内の換気口として利用できる外装パネル体の提供を目的とする。
【課題を解決するための手段】
【０００６】
請求項１に記載の発明は、躯体と、躯体の室外側に設けて躯体との間に第１通路を形成する断熱パネルと、断熱パネルの室外側に設けて断熱パネルとの間に第２通路を形成すると共に太陽光を受ける集熱パネルと、集熱パネルの室外側に設けて集熱パネルとの間に第３通路を形成する透光パネルと、通路切換部材とを備え、躯体には室内に開口した通気口が形成してあり、通気口は開閉部材により開閉自在であり、第１通路は躯体の通気口に連通しており、第１通路、第２通路及び第３通路の各通路は、上部が互いに連通しており、下部は外気に連通してあり、通路切換部材は、第１通路に設けてあり、通気口と第１通路とが連通する位置と、通気口と第２及び第３通路が連通する位置に切り換え自在としてあることを特徴とする外装パネル体である。
【発明の効果】
【０００７】
請求項１に記載の発明によれば、冬場には、通路切換部材を通気口と第２及び第３通路が連通する位置にして、第２及び第３通路を通る外気を集熱パネルの熱で暖めて躯体の通気口から室内に取込み、夏場には、通路切換部材を通気口と第１通路が連通する位置にして、外気をそのまま室内に取込んで室内の換気をすることができる。したがって、通気口を夏場にも室内の換気用として利用することができる。
集熱パネルの室外側面に第３通路を形成してあり、室内側面に第２通路を形成して集熱パネルが対面する両方の通路を通る空気を暖めることができるので、集熱パネルの両面が利用できるから集熱パネルの熱交換効率が良い。
通気口は開閉部材により開閉自在であるから、例えば、夏場に室内を冷房したり、冬場に暖房しているときには、開閉部材により通気口を閉じることにより、エネルギーの無駄を防止できる。
【図面の簡単な説明】
【０００８】
【図１】本発明の実施の形態にかかる外装パネル体を取付けた建物の図であり、図３に示すＡ−Ａ断面図であり。
【図２】本発明の実施の形態にかかる外装パネル体を取付けた建物の図であり、図３に示すＢ−Ｂ断面図である。
【図３】本発明の実施の形態にかかる外装パネル体を取付けた建物の正面図である。
【図４】通路切換部材の図であり、（ａ）は平面図、（ｂ）は正面図、（ｃ）は第１通路内に配置された状態を示す側面図である。
【図５】通路切換部材とその操作部を示す図であり、（ａ）は正面図、（ｂ）は（ａ）に示すＣ−Ｃ断面図である。
【図６】本発明の実施の形態にかかる外装パネル体の作用を説明する図であり、本発明の主要部分のみを概略的に示す縦断面であり、（ａ）は冬場の状態、（ｂ）は夏場の状態である。
【図７】本発明の他の実施の形態にかかる外装パネル体の図であり、主要部分のみを概略的に示す縦断面である。
【発明を実施するための形態】
【０００９】
以下に、添付図面を参照して本発明の実施の形態を詳細に説明する。図３に示すように、本実施の形態にかかる外装パネル体１は建物３の外壁を構成するものであり、上サッシ５ａと下サッシ５ｂとの間に設けてある。また、外装パネル体１は、上枠７と下枠９と左右の竪枠１１とで四周を囲む枠１３を備え、枠１３内には本体部１５と、本体部１５の左右に補助部１７が設けてある。
図１及び図２に示すように、本体部１５には、躯体１９と、断熱パネル２１と、集熱パネル２３と、透光パネル２５とが、室内側から室外側へこの順序で配置されている。
断熱パネル２１は、躯体１９の室外側に設けて躯体１９との間に第１通路２７を形成しており、断熱パネル２１と集熱パネル２３との間に第２通路２９を形成しており、集熱パネル２３と透光パネル２５との間に第３通路３１を形成している。
躯体１９には、通気口３３が形成されており、第１通路２７と室内とを連通している。通気口３３には室内側にファン３５及び開閉部材３７が設けてある。開閉部材３７は可動ルーバーであり室内の操作により開閉するようになっている。ファン３５は、室内に設けたスイッチの操作により必要に応じて駆動するようになっている。
【００１０】
第１通路２７は、躯体１９の室外側面に設けた上下に長い通気部材３９で形成している。この通気部材３９は室外側に溝底３９ａを有する溝状であり、通気部材３９の溝が第１通路２７になっている。
断熱パネル２１は、通気部材３９の溝部３９ａの室内側に設けてあり、通気部材３９の躯体１９側には補助断熱パネル４１が設けてあり、第１通路２７を室外側と室内側とで断熱している。
集熱パネル２３は、黒色に着色したアルミ形材であり、凹凸を形成して集熱面積を稼いでいる。
透光パネル２５は、ガラスであり、四周を枠４３で固定した嵌め殺しサッシである。
下枠９の下面には、第１外気取込孔４５が長手方向に間隔をあけて複数形成されており、各第１外気取込孔４５は連通孔４６を介して第１通路２７に連通している。
透光パネル２５の下枠４７にはその室外側面に第２外気取込孔４９が長手方向に間隔をあけて複数形成されており、第２外気取込孔４９は連通孔４８を介して第２通路２９及び第３通路３１の各下端に連通している。
【００１１】
図２に示すように、本体部１５と左右の補助部１７とは方立５１により仕切られており、図１に示すように、本体部１５の上部空間５３と補助部１７の上部空間とは方立５１の上部に形成された連通孔５７により互いに連通されている。
図２に示すように、補助部１７には、躯体１９に断熱材５９が固定してり、断熱材５９の室外側に集熱パネル２３、及び透光パネル２５が設けてあり、断熱材５９と集熱パネル２３との間に第２通路２９が形成されており、集熱パネル２３と透光パネル２５との間に第３通路３１が形成されている。
【００１２】
図１に示すように、本体部１５において、第１通路２７には通気口３３と連通する通路を切替える通路切換部材６１が設けてある。この通路切換部材６１は、室内に設けた操作部６３の操作に連動して上下に移動するようになっている。図４に示すように、通路切換部材６１は上端部６５と、下端部６７と、上端６５と下端部６７を連結する連結部６９とが設けてあり、上端部６５及び下端部６７には各々室外側と室内側とに摩擦部材７１が設けてある。各摩擦部材７１は、第１通路２７の室内側壁面及び室外側壁面に当接しており通路切換部材６１は摩擦部材と通路壁面との摩擦により所定位置に保持されている。摩擦部材７１は毛状部材であり、いわゆるモヘアである。
【００１３】
図５に示すように、通路切換部材６１には上下に長い一対の案内孔７３と、案内孔７３、７３間に設けた係合孔７５とが形成されている。通路切換部材６１の室内側には保持部材７７と回転部材７９とが設けてあり、保持部材７７は通気部材３９の溝底３９ａとの間に間隔をあけてねじ８１、８１により固定されている。保持部材７７を固定しているねじ８１、８１は各々対応する案内孔７３、７３に挿通されており、通路切換部材６１は保持部材７７に対して上下動自在にしてある。
回転部材７９には室外側に向けて突設した突部８３が設けてあり、突部８３が係合孔７５に摺動自在に係合している。回転部材７９には、巻き掛け状のワイヤ８５が掛けてあり、ワイヤ８５は操作部６３のダイヤル８７と共に回転するプーリ８９にも掛けてある。この構成により、ダイヤル８７を１８０度回転すると、回転部材７９も１８０度回転して突部８３が回転部材７９と共に上位置から下位置へ移動するので、突部８３が通路切換部材６１を押して通路切換部材６１を上下に移動する。そして、通路切換部材６１は上位置及び下位置で各々摩擦部材７１と通気部材３９との間の摩擦力によりその位置に保持される。
図６（ａ）に示すように、通路切換部材６１が下位置にあるときには、通気口３３と本体部の上部空間５３が連通し、図６（ｂ）に示すように、通路切換部材６１が上位置にあるときには、第１通路２７と通気口３３とが連通する。
【００１４】
次に、本実施の形態にかかる外装パネル体１の作用及び効果について説明する。
冬場には、図６（ａ）に示すように、第１通路２７内に設けた通路切換部材６１を下端に位置させ、上部空間５３と通気口３３を連通する。
そして、ファン３５を駆動すると、第２外気取込口４９から取込まれた外気は、第２通路２９及び第３通路３１を通って、上部空間５３から通気口３３を通り、室内に取込まれる。外気は、第２通路２９及び第３通路３１では、太陽光を受けた集熱パネルの熱により温められて、室内に送られる。
また、補助部１７でも同様に第２通路２９及び第３通路３１を通って暖められた外気は補助部の上部空間から連通孔５７を通り、本体部１５の上部空間５３で合流する。
【００１５】
一方、夏場には、図５に示すように、ダイヤル８７を１８０度回転し、突部８３を上方に上げて図５に示す位置にすることにより、図６（ｂ）に示すように、通路切換部材６１を上に移動させる。
図６（ｂ）に示す状態では、通気口３３と上部空間５３との連通が閉じ、第１通路２７と通気口３３とが連通する。
ファン３５の駆動により、第１外気取込孔４５から取込まれた外気は、第１通路２７を通って、室内に取込まれる。第１通路２７では、第２通路２９や第３通路３１のように、集熱パネル２３による外気の加温がないから、外気をそのまま取込んで室内の換気をすることができる。
尚、空調装置により冬場に暖房したり、夏場に冷房したりするときには開閉部材３７により通気口３５を閉じることができる。
【００１６】
本実施の形態にかかる外装パネル体１によれば、冬場には、通路切換部材６１を通気口３３と、第２通路２９及び第３通路３１が連通する位置にして、第２通路２９及び第３通路３１を通る外気を集熱パネル２３の熱で暖めて通気口３３から室内に取込み、夏場には、通路切換部材６１を通気口３３と第１通路２７が連通する位置にして、外気をそのまま室内に取込み、室内の換気をすることができる。
集熱パネル２３はその室外側の第３通路３１と室内側の第２通路２９との両方の通路を通る空気を暖めることができるので、集熱パネル２３の両面が利用できるから集熱パネル２３の熱交換効率が良い。
外装パネル体１は本体部１５の左右に補助部１７を設けて、冬場には補助部１７の集熱パネル２３で暖めた外気を本体部１５で暖めた外気と合流するので、効率良く集熱できる。
通気口３３は開閉部材３７により、開閉自在であるから、例えば、夏場に室内を冷房したり、冬場に暖房しているときには、開閉部材３７により通気口３３を閉じることにより、エネルギーの無駄を防止できる。
通路切換部材６１は、摩擦部材７１によりその位置を保持しているので、ワイヤ８５を掛けたダイヤル８７の操作のみで上位置と下位置とに保持することができるから、構成を簡易にできる。
断熱パネル２１は、通気部材３９の溝底３９ａに固定しているので、断熱パネル２１の取り付けが簡単にできる。
【００１７】
以下に本発明の他の実施の形態を説明するが、以下に説明する実施の形態において、上述した第１実施の形態と同一の作用効果を奏する部分には同一の符号を付することによりその部分の詳細な説明を省略し、以下の説明では第１実施の形態と主に異なる点を説明する。
図７に本発明の第２実施の形態にかかる外装パネル体１を示している。この第２実施の形態では、通気口３３を躯体１９の下方に設けている。但し、この実施の形態では、建物は２階建てであり、通気口３３は１階（１Ｆ）の天井に近い位置にある。
この第２実施の形態では、第２通路２９及び第３通路３１を通った外気を上方で合流して第１通路２７の上方から通気口３３へ導いている。
この第２実施の形態によれば、第１実施の形態と同様の作用効果を奏することができる。
【００１８】
本発明は、上述した実施の形態に限らず、本発明の要旨を逸脱しない範囲で種々変形可能である。
例えば、第１外気取込孔４５は外装パネル体１の下枠９に形成することに限らず、竪枠１１の下部に設けるものであっても良い。また、第１外気取込孔４５又は第２外気取込孔４９を第１通路２７、第２通路２９及び第３通路３１の共通の外気取込用孔として用いても良い。
集熱パネル２３には、パンチメタルのように多数の孔を形成して第２通路２９と第３通路３１との通気を自由に図るものであっても良い。
ファン３５は無くても良く、例えば、室内のドアを開いたり、換気装置の駆動により室内を減圧にして、通気口３３から外気を取込んでも良い。
外装パネル体１は、補助部１７を設けないで本体部１５のみとしても良い。
通路切換部材６１は、ワイヤ８５を操作して移動させる構造に限らず、モータ駆動により上位置と下位置との間を移動する構成にしても良いし、通路切換部材６１の駆動方法は限定されない。
開閉部材３７は、開閉ルーバーに限らず、板材を上下にスライドさせて開閉するものであっても良く、その構成は限定されない。
【符号の説明】
【００１９】
１    外装パネル体
１９  躯体
２１  断熱パネル
２３  集熱パネル
２５  透光パネル
２７  第１通路
２９  第２通路
３１  第３通路
３３  通気口
３７  開閉部材
６１  通路切換部材
【図１】
0005613106.tif 000002
【図２】
0005613106.tif 000003
【図３】
0005613106.tif 000004
【図４】
0005613106.tif 000005
【図５】
0005613106.tif 000006
【図６】
0005613106.tif 000007
【図７】
0005613106.tif 000008